(57)【要約】      （修正有）【課題】所定間隔で対向立設する金属製型枠パネルの間へのセパレータの架設が簡単かつ迅速に行える金属製型枠パネルを提供する。【解決手段】本金属製型枠パネルは、躯体コンクリートの立面を構成する型枠の堰板として用いる金属製型枠パネルであって、互いに離間した複数のセパレータ架設用の、略菱形の孔が設けられ、該略菱形の孔に、軸心の回りに回転自在に支持されたセパレータ軸部の両端寄りに設けられ、該略菱形の孔の縁に内接する多角形または異形を呈した係止片が脱着可能に係止され、前記略菱形の孔に、該孔の使用時に型枠内方へ折曲可能に、前記略菱形の孔の縁の上部から延設された前記略菱形の孔と同形の盲蓋が設けられたことを特徴とする。【選択図】図１
0003154777.tif 000002
【実用新案登録請求の範囲】
【請求項１】
躯体コンクリートの立面を構成する型枠の堰板として用いる金属製型枠パネルであって、
互いに離間した複数のセパレータ架設用の、略菱形の孔が設けられ、該略菱形の孔に、軸心の回りに回転自在に支持されたセパレータ軸部の両端寄りに設けられ、該略菱形の孔の縁に内接する多角形または異形を呈した係止片が脱着可能に係止され、前記略菱形の孔に、該孔の使用時に型枠内方へ折曲可能に、前記略菱形の孔の縁の上部から延設された前記略菱形の孔と同形の盲蓋が設けられたことを特徴とする金属製型枠パネル。
【請求項２】
前記係止片が、前記略菱形の孔と相似形かつ、わずかに小さい略菱形を呈することを特徴とする請求項１記載の金属製型枠パネル。
【考案の詳細な説明】
【技術分野】
【０００１】
本考案は、金属製型枠パネルに関する。
【背景技術】
【０００２】
躯体コンクリートの立面を構成する型枠の堰板として、特許文献１に示されるように、合板製の型枠パネルとは異なり、コンクリートの硬化後に解体・除去することなく放置して、埋め殺しにする、いわゆる「捨てパネル」と呼ばれる省力化を図った金属製型枠パネルが用いられている。
【０００３】
従来の、金属製型枠パネルは、捨てコンを打って形成した基礎スラブ上へ、鉄筋を配筋して骨組みを組み立てると共に、この骨組みの両側位置へ支持レールを平行に敷設し、これら支持レールへ型枠パネルを建て込む。そして、両端部に雄ねじ部を有したセパレータを、型枠パネル相互間へ架設して、コンクリートの打設圧力に耐えるようにする。
【０００４】
上記セパレータには、雄ねじ部よりも内側となる部分に、ワッシャ等より成る円形のパネル止め片が軸移動不能な状態で嵌め付けられており、型枠パネルには、セパレータの雄ねじ部は挿通するが円形のパネル止め片は不通にする丸孔が、所定間隔で、予め形成されている。
【０００５】
従って、上記したセパレータの架設は、まず、型枠パネル相互間の骨組み内へその上方からセパレータをくぐらせるようにして入れ、その軸方向を型枠パネルの面方向と直交させるようにさせながら、雄ねじ部を両側の型枠パネルにおける丸孔へ差し込む。そして、各丸孔から型枠パネルの外方へ突出した雄ねじ部へフォームタイを螺合する。
【０００６】
この後は、フォームタイの上側へ横パイプを沿わせると共に、これらフォームタイおよび横パイプに抱き合わせ金具を嵌め付け、最後にフォームタイに対してクサビを打ち込む。
【先行技術文献】
【特許文献】
【０００７】
【特許文献１】特開平０５−２５５９８８号公報
【考案の概要】
【考案が解決しようとする課題】
【０００８】
しかしながら、セパレータの架設時には、上記のように型枠パネル相互間に既に骨組みが組み立てられ、セパレータを対向する型枠パネルの間から取り付ける際に、この骨組みが邪魔になるので、対向する型枠パネルの間から作業者がセパレータを架設するのが非常に困難で面倒なものとなっていた。
【０００９】
また、金属製型枠パネルでは、コンクリートの打設時に、セパレータの架設に用いなかった丸孔からコンクリートが漏れ出ることになり、コンクリートに多少なりとも無駄が生じる点や、仕上がりがやや見苦しくなる点等に関して、難点があった。
【００１０】
本考案は、かかる事情に鑑みて、所定間隔で対向立設する金属製型枠パネルの間へのセパレータの架設が簡単かつ迅速に行える金属製型枠パネルの提供を目的とする。
【００１１】
本考案はまた、型枠パネルからはみ出すことによるコンクリートの無駄を防止できるとともに、基礎コンクリートを綺麗に仕上げることができる金属製型枠パネルの提供を目的とする。
【課題を解決するための手段】
【００１２】
本考案の金属製型枠パネルは、躯体コンクリートの立面を構成する型枠の堰板として用いる金属製型枠パネルであって、互いに離間した複数のセパレータ架設用の、略菱形の孔が設けられ、該略菱形の孔に、軸心の回りに回転自在に支持されたセパレータ軸部の両端寄りに設けられ、該略菱形の孔の縁に内接する多角形または異形を呈した係止片が脱着可能に係止され、前記略菱形の孔に、該孔の使用時に型枠内方へ折曲可能に、前記略菱形の孔の縁の上部から延設された前記略菱形の孔と同形の盲蓋が設けられたことを特徴とする。
【００１３】
また、前記係止片が、前記略菱形の孔と相似形かつ、わずかに小さい略菱形を呈することが好ましい。
【考案の効果】
【００１４】
本考案の金属製型枠パネルによれば、金属製型枠パネルを所定間隔で対向立設させたときのセパレータの架設が極めて簡単かつ迅速に行える。また、略菱形の孔に対して盲蓋を設けることにより、打設コンクリートの漏れ出しによる無駄を防止でき、また基礎コンクリートを綺麗に仕上げることができる。
【図面の簡単な説明】
【００１５】
【図１】本考案の金属製型枠パネルの斜視図である。
【図２】本考案の金属製型枠パネルの部分拡大図である。
【図３（ａ）】本考案の金属製型枠パネルの略菱形の孔に挿通される係止片の形状を示す図である。
【図３（ｂ）】本考案の金属製型枠パネルの略菱形の孔に挿通される係止片の形状を示す図である。
【図３（ｃ）】本考案の金属製型枠パネルの略菱形の孔に挿通される係止片の形状を示す図である。
【図３（ｄ）】本考案の金属製型枠パネルの略菱形の孔に挿通される係止片の形状を示す図である。
【図３（ｅ）】本考案の金属製型枠パネルの略菱形の孔に挿通される係止片の形状を示す図である。
【図３（ｆ）】本考案の金属製型枠パネルの略菱形の孔に挿通される係止片の形状を示す図である。
【図３（ｇ）】本考案の金属製型枠パネルの略菱形の孔に挿通される係止片の形状を示す図である。
【図３（ｈ）】本考案の金属製型枠パネルの略菱形の孔に挿通される係止片の形状を示す図である。
【図３（ｉ）】本考案の金属製型枠パネルの略菱形の孔に挿通される係止片の形状を示す図である。
【図３（ｊ）】本考案の金属製型枠パネルの略菱形の孔に挿通される係止片の形状を示す図である。
【図３（ｋ）】本考案の金属製型枠パネルの略菱形の孔に挿通される係止片の形状を示す図である。
【図３（ｌ）】本考案の金属製型枠パネルの略菱形の孔に挿通される係止片の形状を示す図である。
【図３（ｍ）】本考案の金属製型枠パネルの略菱形の孔に挿通される係止片の形状を示す図である。
【図３（ｎ）】本考案の金属製型枠パネルの略菱形の孔に挿通される係止片の形状を示す図である。
【図３（ｏ）】本考案の金属製型枠パネルの略菱形の孔に挿通される係止片の形状を示す図である。
【図４】本考案の金属製型枠パネルの使用状態を示す図である。
【図５（ａ）】本考案の金属製型枠パネルにセパレータが挿通される状態を説明するための図である。
【図５（ｂ）】本考案の金属製型枠パネルにセパレータが挿通される状態を説明するための図である。
【図５（ｃ）】本考案の金属製型枠パネルにセパレータが挿通される状態を説明するための図である。
【図５（ｄ）】本考案の金属製型枠パネルにセパレータが挿通される状態を説明するための図である。
【考案を実施するための形態】
【００１６】
以下、添付図面を参照し、本考案の金属製型枠パネルを詳細に説明する。
【００１７】
図１および２を参照すると、本考案の金属製型枠パネル（以下、単にパネルという）１は、躯体コンクリートの立面を構成する型枠の堰板として用いられ、亜鉛等でメッキされた金属板を素材として、当該パネル面から突出する補強リブ２、３が設けられている。各補強リブ２、３は、パネル１の使用状態における縦方向（図１中上下方向）に沿って、その全長にわたり設けられている。
【００１８】
パネル１の使用状態において、対向するパネル１の一方のパネル１の補強リブ２は、他方のパネル１の方向へ突出し、型枠外方側に溝部４が形成させる。溝部４には、セパレータ５（図５参照）を架設するのに用いられる、互いに離間した複数のセパレータ架設用の、略菱形の孔６が設けられている。
【００１９】
当該略菱形の孔６には、軸心ＡＸ（図５参照）の回りに回転自在に支持されたセパレータ５の軸部５ａの両端寄りに設けられ、該略菱形の孔６の縁６ａに内接する多角形または異形を呈した係止片７が、脱着可能に係止される。すなわち、対向するパネル１の一方のパネルの外側から、セパレータ５を挿入し、セパレータ５をセパレータ５の軸心ＡＸ回りに回転させることにより係止片７がパネル１に脱着可能に係止される。係止片７は、その中央部に雌ねじが切られ、雄ねじ部５ｂが設けられたセパレータ５の軸部５ａに取り付けられる。なお、係止片７は、セパレータ５の軸部５ａに溶接等により固定することもでき、特に係止片７のセパレータ５への取付方法は限定されることはない。
【００２０】
係止片７の形状は、図３（ａ）〜（ｏ）に示されるように、種々の形状を採用することができる。係止片７は、図３（ａ）に示すような、略菱形の孔６と相補的な関係にある、略菱形の孔６よりわずかに小さい相似形の略菱形の形状や、図３（ｂ）に示すような略菱形の孔６の縁６ａに内接する上下方向に長い長方形状の係止片７や、図３（ｃ）に示すような上下方向に長い長方形の上下にそれぞれ三角形が組み合わされた上下に長い六角形状の係止片７であってもよい。また、図３（ｄ）に示すように上下方向に長い長方形の長辺が外側に膨出した形状や、図３（ｅ）に示すような上下方向に長い長方形の左右の長辺にそれぞれ長方形が組み合わされた十字型の係止片７や、図３（ｆ）に示す、略菱形の孔６の縁６ａに内接する三角形であってもよい。また、図３（ｇ）に示すような楕円の長軸に沿って半分に切断し、その切断された側に三角形を組み合わせたものであってもよく、図３（ｈ）に示すような図３（ａ）の略菱形の係止片７の上下部分のそれぞれから三角形がカットされた六角形状であってもよく、図３（ｉ）に示すような長方形の上下側にそれぞれ波型形状の異形部分を設けたものであってもよい。図３（ｊ）の係止片７は、上下方向に長い長方形の長辺を波型形状としたものであり、図３（ｋ）の係止片７は、台形を２つ組み合わせた形状であり、図３（ｌ）の係止片７は、長方形のそれぞれの辺を内方に湾曲した形状である。図３（ｍ）の係止片７は、全体が異形を呈しており、略菱形の孔６の縁６ａに内接し、図３（ｎ）の係止片７は、複数の突出部を備え、縁６ａに内接する多角形であり、図３（ｏ）の係止片７は、略Ｈ字状の多角形である。
【００２１】
上記図３（ａ）〜（ｏ）に示した形状は、あくまでも例示に過ぎず、略菱形の孔６の縁６ａに内接する多角形または異形を呈していれば、特に上記形状に限定されるものではない。すなわち、本考案は、セパレータ５の係止片７を、パネル１の略菱形の孔６に挿入することができ、セパレータ５の軸心ＡＸを中心に回転させることにより、略菱形の孔６に挿入された係止片７が略菱形の孔６から抜け出ないようにするものである。なお、本考案において異形とは、不規則な波型形状、部分楕円、部分円を含む概念である。また、本考案において内接とは、完全に接する必要はなく、わずかなクリアランスを許容するものである。
【００２２】
つぎに、本考案のパネル１の使用状態を図４および図５に示す。捨てコンを打って形成した基礎スラブ（図示せず）上へ、鉄筋９を配筋して骨組みを組み立てると共に、当該骨組みの両側位置へ支持レール１０を平行に敷設し、これら支持レール１０へパネル１を建て込むまでの手順は、従来と同じである。
【００２３】
つぎに、対向立設状態にあるパネル１における一方の外側、即ち、図５（ａ）に示すように、型枠外方から、パネル１の略菱形の孔６に対して、両パネル１を串刺しするようなかたちで、盲蓋８をセパレータ５の軸部５ａにより押し開けながら、セパレータ５を他方の外側へ突き通す。
【００２４】
セパレータ５の係止片７を略菱形の孔６に通したのち、図５（ｂ）の状態からセパレータ５の軸心ＡＸを中心に９０度程度回転させる（図５（ｃ）参照）。セパレータ５を回転させると、係止片７は、略菱形の孔６から抜け出ることがなくなり、この状態からセパレータ５の軸部５ａに設けられた雄ねじ部５ｂにフォームタイ１１を取り付けて外側から固定し、セパレータ５の固定が完了する。このように、本考案によれば、セパレータ５を対向するパネル１の内側から組み立てられた鉄筋９をかいくぐりながらセパレータ５を取り付ける必要がなくなり、対向するパネル１の外側から容易に取り付けることができる。
【００２５】
また、図２および図５に示すように、略菱形の孔６には、盲蓋８を設けるのが好適である。この盲蓋８は、略菱形の孔６の加工を打ち抜きで行うことにより、略菱形の孔６内へ残置形成させたもので、略菱形の孔６よりわずかに小さい相似形をしている。そして、盲蓋８は、略菱形の孔６の縁６ａの上側部分でパネル面との接続部８ａが設けられている。
【００２６】
従って、略菱形の孔６へセパレータ５を通さないときには、略菱形の孔６は盲蓋８によって塞がれた状態となる。そのため、コンクリートの打設時に、略菱形の孔６からコンクリートが過度に漏れ出すのを防止できる。また、盲蓋８は略菱形の孔６よりも一回り小さく、略菱形の孔６を閉塞した状態でも若干のスリットが形成されるようになっているので、略菱形の孔６が盲蓋８で閉塞されても当該スリットがコンクリートの余剰水の排出口として機能する。
【００２７】
また、略菱形の孔６へセパレータ５を通す場合には、パネル１の外方となる側、即ち、補強リブ２による溝部４の溝底から盲蓋８を押し込んで、接続部８ａを折曲させるようにすることにより、セパレータ５の突き刺しが可能になる。
【００２８】
盲蓋８をパネル１の内方へ折曲させたとき、盲蓋８は接続部８ａを頂部としてその斜め下方へ傾くようになる。そして、この盲蓋８をセパレータ５で突き刺すと、接続部８ａを中心として盲蓋８が対向するパネル１の方向に回転し、コンクリートの打設時には、盲蓋８が、いわゆる「雨返し用の庇」的な作用を奏し、コンクリートを対向するパネル１の内側方向へ弾かせるようになり、略菱形の孔６からのコンクリートの漏れはより確実に防止できる。
【００２９】
なお、盲蓋８の接続部８ａは、略菱形の孔６の縁６ａのどの位置へ設けるようにしてもよい。また、盲蓋８は、略菱形の孔６の開口形状全体に対する相似形とすることが限定されるものではない。
【００３０】
なお、コーナー使用タイプの型枠パネル１は、パネル面に対して、所定長さを有する縦方向のスリット状切れ目１２が、ミシン目状に点在的に形成されたもので、このミシン目状のものが複数本、横方向に平行に設けられている。従って、現場に応じて、所望するミシン目部分でパネル１を折り曲げることができるようになっている。
【符号の説明】
【００３１】
１  パネル
２、３  補強リブ
４  溝部
５  セパレータ
５ａ  軸部
５ｂ  雄ねじ部
６  略菱形の孔
６ａ  縁
７  係止片
８  盲蓋
９  鉄筋
１０  支持レール
１１  フォームタイ
１２  スリット状切れ目
【図１】
0003154777.tif 000003
【図２】
0003154777.tif 000004
【図３（ａ）】
0003154777.tif 000005
【図３（ｂ）】
0003154777.tif 000006
【図３（ｃ）】
0003154777.tif 000007
【図３（ｄ）】
0003154777.tif 000008
【図３（ｅ）】
0003154777.tif 000009
【図３（ｆ）】
0003154777.tif 000010
【図３（ｇ）】
0003154777.tif 000011
【図３（ｈ）】
0003154777.tif 000012
【図３（ｉ）】
0003154777.tif 000013
【図３（ｊ）】
0003154777.tif 000014
【図３（ｋ）】
0003154777.tif 000015
【図３（ｌ）】
0003154777.tif 000016
【図３（ｍ）】
0003154777.tif 000017
【図３（ｎ）】
0003154777.tif 000018
【図３（ｏ）】
0003154777.tif 000019
【図４】
0003154777.tif 000020
【図５（ａ）】
0003154777.tif 000021
【図５（ｂ）】
0003154777.tif 000022
【図５（ｃ）】
0003154777.tif 000023
【図５（ｄ）】
0003154777.tif 000024